(57)【要約】【課題】小型でかつ安価で全ての機種に対応可能なスライド落下防止装置を提供する。【解決手段】プレス機械１０のボルスタ１１の一端の上部に取り付けられたレール２１と、このレール２１上を摺動する直動スライドテーブル２２ａを脚部に有し、側面に長溝２２ｂが形成されたダイブロック２２と、一端にダイブロック２２の長溝２２ｂに嵌合する嵌合部２３ａが設けられるとともに、他端に回動軸２３ｂが設けられたアーム部２３と、このアーム部２３を回動軸２３ｂを中心として回動駆動する駆動部２４を有し、駆動部２４によりアーム部２３の回動により直動スライドテーブル２２ａをレール２１上を前方に摺動させて、ダイブロック２２を破線で示すプレス機械１０のスライド１３の下方のダイブロック位置に押し出す。【選択図】  図１
2004291086.tif 000002
【特許請求の範囲】
【請求項１】
プレス機械本体のボルスタ上に取りつけられたレールと、
前記レール上を摺動する直動スライドテーブルを脚部に有するダイブロックと、
前記直動スライドテーブルを前記レールに沿って移動させる駆動装置と
を具備し、
前記駆動装置により前記直動スライドテーブルを前記レールに沿って移動させることにより前記ダイブロックをプレス機械のスライドの下方に侵出させて、該ダイブロックにより該スライドを支承することを特徴とするスライド落下防止装置。
【請求項２】
前記駆動装置は、
一端に前記ダイブロックの側面に形成された長溝に嵌合する嵌合部が設けられるとともに、他端に回動軸が設けられたアーム部と、
前記アーム部を前記回動軸を中心として回動駆動する駆動部と
を具備し、
前記駆動部により前記アーム部を回動駆動することにより前記アーム部の嵌合部を前記ダイブロックの長溝内で移動させることにより前記直動スライドテーブルを前記レールに沿って移動させることを特徴とする請求項１記載のスライド落下防止装置。
【請求項３】
前記ダイブロックが前記プレス機械のスライドの下方に侵出したときに点灯する第１の確認ランプと、
前記ダイブロックが前記スライドの下方から外れた待機位置に復帰したときに点灯する第２の確認ランプと
を更に具備することを特徴とする請求項１記載のスライド落下防止装置。
【請求項４】
前記プレス機械の操作電源回路に設けられ、操作することにより該操作電源回路を遮断する安全ブロックスイッチと、
前記安全ブロックスイッチの操作により前記駆動動を駆動して前記ダイブロックを前記プレス機械のスライドの下方に侵出させる制御回路と、
前記安全ブロックスイッチの操作により前記プレス機械を非常停止するとともに、前記プレス機械を非常停止を解除する非常停止回路と
を更に具備することを特徴とする請求項１記載のスライド落下防止装置。
【発明の詳細な説明】
【０００１】
【発明の属する技術分野】
この発明は、プレス機械のスライド落下防止装置に関し、特に、プレス機械の金型交換等の作業や保守、点検作業時にスライドが落下する事故を確実に防止することができるようにしたスライド落下防止装置に関する。
【０００２】
【従来の技術】
一般に、プレス機械機械において、金型交換等の作業や保守、点検作業時は、スライドを予め設定されたスライド停止点、例えば上死点に停止させて行う。
【０００３】
この場合、作業者若しくはその一部がスライドとボルスタの間に入り込むことになるので、安全に作業を行うためにはスライドの落下を確実に防止する必要がある。
【０００４】
このようなプレス機械のスライド落下防止装置としては、特許文献１乃至４に記載されたものが知られている。
【０００５】
【特許文献１】
特開２０００−２１０７９９
【特許文献２】
実開昭６３−４１３９９号公報
【特許文献３】
実開平２−１２３３９９号公報
【特許文献２】
実開平２−１２３４００号公報
【発明が解決しようとする課題】
しかし、上記従来のスライド落下防止装置は、いずれも構造が複雑であり、また、適合機種が限られているという問題があった。
【０００６】
そこで、この発明は、小型でかつ安価で全ての機種に対応可能なスライド落下防止装置を提供することを目的とする。
【０００７】
【課題を解決するための手段】
上記目的を達成するため、この発明のスライド落下防止装置は、動する直動スライドテーブルを脚部に有するダイブロックと、前記直動スライドテーブルを前記レールに沿って移動させる駆動装置とを具備し、前記駆動装置により前記直動スライドテーブルを前記レールに沿って移動させることにより前記ダイブロックをプレス機械のスライドの下方に侵出させて、該ダイブロックにより該スライドを支承することを特徴とする。
【０００８】
ここで、前記駆動装置は、一端に前記ダイブロックの側面に形成された長溝に嵌合する嵌合部が設けられるとともに、他端に回動軸が設けられたアーム部と、前記アーム部を前記回動軸を中心として回動駆動する駆動部とを具備し、前記駆動部により前記アーム部を回動駆動することにより前記アーム部の嵌合部を前記ダイブロックの長溝内で移動させることにより前記直動スライドテーブルを前記レールに沿って移動させることを特徴とする
また、上記構成において、前記ダイブロックが前記プレス機械のスライドの下方に侵出したときに点灯する第１の確認ランプと、前記ダイブロックが前記スライドの下方から外れた待機位置に復帰したときに点灯する第２の確認ランプとを更に具備することを特徴とする。
【０００９】
また、上記構成において、前記プレス機械の操作電源回路に設けられ、操作することにより該操作電源回路を遮断する安全ブロックスイッチと、前記安全ブロックスイッチの操作により前記駆動動を駆動して前記ダイブロックを前記プレス機械のスライドの下方に侵出させる制御回路と、前記安全ブロックスイッチの操作により前記プレス機械を非常停止するとともに、前記プレス機械を非常停止を解除する非常停止回路とを更に具備することを特徴とする。
【００１０】
【発明の実施の形態】
以下、この発明に係わるスライド落下防止装置の実施の形態を添付図面を参照して詳細に説明する。
【００１１】
図１は、この発明に係わるスライド落下防止装置を取り付けたプレス機械の要部を示す一部切り欠き斜視図である。
【００１２】
図１において、このプレス機械１０は、ボルスタ１１上に下金型１２を取りつけるとともに、スライド１３に上金型１４を取り付け、スライド１３を上下駆動することにより所定のプレス加工を行う。
【００１３】
そして、このプレス機械１０の金型の交換時には、スライド１１を上死点に停止させた状態で、ボルスタ１１から下金型１２を取り外すとともに、スライド１３から上金型１４を取り外して金型の交換を行う。
【００１４】
また、このプレス機械１０の保守、点検作業時においても、同様にスライド１１を上死点に停止させた状態で、保守、点検作業を行う。
【００１５】
さて、上記プレス機械１０の金型の交換時若しくは保守、点検作業時には、プレス機械１０のボルスタ１１とスライド１３の間に作業者の手等の一部が入ことになるので、この状態でスライド１３が何らかの原因で落下すると非常に危険である。
【００１６】
そこで、このプレス機械１０には、この発明に係わるスライド落下防止装置２０が取り付けられている。
【００１７】
このスライド落下防止装置２０は、プレス機械１０のボルスタ１１の一端の上部に取り付けられたレール２１、このレール２１上を摺動する直動スライドテーブル２２ａを脚部に有し、側面に長溝２２ｂが形成されたダイブロック２２、一端にダイブロック２２の長溝２２ｂに嵌合する嵌合部２３ａが設けられるとともに、他端に回動軸２３ｂが設けられたアーム部２３、このアーム部２３を回動軸２３ｂを中心として回動駆動する駆動部２４を具備して構成される。
【００１８】
ここで、駆動部２４は、モータ、ソレノイド、油圧、空圧シリンダ等を用いた周知のロータリアクチュエータを用いて構成することができる。
【００１９】
このスライド落下防止装置２０を用いてスライド１３の落下防止状態に設定するには、駆動部２４によりアーム部２３を矢印Ａ方向に回動する。これによりアーム部２３の先端の嵌合部２３ａは、破線で示した待機位置にあるダイブロック２２の長溝２２ｂに沿って下方に移動することによりダイブロック２２の下部に設けられた直動スライドテーブル２２ａはレール２１上を前方に摺動し、ダイブロック２２を実線で示すようにプレス機械１０のスライド１３の下方の位置、すなわちダイブロック位置に押し出す。
【００２０】
この状態でプレス機械１０のスライド１３の落下が生じても、スライド１３はダイブロック２２により支承されて、それ以上落下することはない。
【００２１】
また、このスライド落下防止装置２０によるスライド落下防止状態を解除、すなわち、ダイブロック２２をダイブロック位置から待機位置に復帰させるには、駆動部２４によりアーム部２３を矢印Ａと反対方向に回動する。これによりダイブロック２２の先端の嵌合部２３ａは、実線で示した位置にあるダイブロック２２の長溝２２ｂに沿って上方に移動することによりアーム部２３の下部に設けられた直動スライドテーブル２２ａはレール２１上を後方に摺動してダイブロック２２は、実線で示したダイブロック位置から破線示す待機位置に復帰する。この状態でプレス機械１０の動作が可能になる。
【００２２】
なお、このスライド落下防止装置２０においては、ダイブロック２２がダイブロック位置にあるか待機位置にあるかをユーザに対して視覚的に示すために赤色の確認ランプ２４ａと緑色の確認ランプ２４ｂが設けられている。すなわち、ダイブロック２２がダイブロック位置にあると赤色の確認ランプ２４ａが点灯し、プレス機械１０がスライド１３の落下防止状態に設定されたことをユーザに対して示し、また、ダイブロック２２が待機位置にあると緑色の確認ランプ２４ｂが点灯し、プレス機械１０が動作可能状態になったことユーザに対して示す。
【００２３】
なお、図１においては、赤色の確認ランプ２４ａおよび緑色の確認ランプ２４ｂを駆動部２４の側面に設けたが、ユーザにより確認できる位置であればこの赤色の確認ランプ２４ａおよび緑色の確認ランプ２４ｂはどこに設けてもよい。
【００２４】
また、後述するように、このスライド落下防止装置２０においては、ダイブロック２２がダイブロック位置にあるときにはこのプレス機械１０の操作電源を強制的に遮断し、不用意に操作電源がオンにされてもプレス機械１０が作動しないように構成されている。
【００２５】
図２は、図１に示したスライド落下防止装置２０の詳細を側面図で示したものである。
【００２６】
図２において、このスライド落下防止装置２０を使用しないダイブロック２２が待機位置にあるときには、ダイブロック２２は、図２で実線で示すようにこのプレス機械１０のボルスタ１１とギブ１５の間に位置し、この状態でスライド１３は、このスライド落下防止装置２０に邪魔されることなく通常に動作可能である。
【００２７】
このスライド落下防止装置２０によりスライド１３の落下防止状態に設定するには、駆動部２４によりアーム部２３を矢印Ａ方向に回動することにより、アーム部２３の先端の嵌合部２３ａをダイブロック２２の長溝２２ｂに沿って矢印Ｂに示すように下方に移動させ、これによりダイブロック２２の下部に設けられた直動スライドテーブル２２ａをレール２１上を前方に摺動させて、ダイブロック２２を破線で示すプレス機械１０のスライド１３の下方のダイブロック位置に押し出す。
【００２８】
また、このスライド落下防止装置２０によりスライド１３の落下防止状態を解除するには、駆動部２４によりアーム部２３を矢印Ａと反対方向に回動することにより、アーム部２３の先端の嵌合部２３ａを実線で示した位置にあるダイブロック２２の長溝２２ｂに沿って矢印Ｂと反対の方向に移動させ、これによりダイブロック２２の下部に設けられた直動スライドテーブル２２ａをレール２１上を後方に摺動させてダイブロック２２を実線で示した待機位置に復帰させる。
【００２９】
なお、上記実施の形態においては、アーム部２３とこのアーム部２３を回動軸２３ｂを中心として回動駆動する駆動部２４を用いてダイブロック２２をダイブロック位置と待機位置との間で移動するように構成したが、直動スライドテーブル２２ａを直接移動させるシリンダ等からなる周知の駆動装置を採用しても同様に構成することができる。
【００３０】
図３は、図１および図２に示したスライド落下防止装置２０の制御回路を示したものである。
【００３１】
なお、図３においては、図１に示したスライド落下防止装置２０の駆動部２４として、２つのエアーシリンダによりアーム部２３を回動駆動してダイブロック２２を待機位置からダイブロック位置に移動させる前進制御およびダイブロック２２をダイブロック位置から待機位置に復帰させる後進制御を行わせる周知のダブルシリンダロータリアクチュエータを用いて構成した場合を示している。
【００３２】
なお、このダブルシリンダロータリアクチュエータは、ソレノイドＡＳＶ１の駆動により一方のエアーシリンダを動作させて上記前進制御を行い、ソレノイドＡＳＶ２の駆動により他方のエアーシリンダを動作させて上記後進制御を行うように構成されている。
【００３３】
また、このダブルシリンダロータリアクチュエータには、アーム部２３をダイブロック位置まで回動したときにオンになる第１のリミットスイッチＬＳＷ１と、アーム部２３を待機位置まで回動したときにオンになる第２のリミットスイッチＬＳＷ２とが設けられている。
【００３４】
図３において、端子Ｔ１および端子Ｔ２は、電源端子であり、この電源端子Ｔ１、Ｔ２に加えられた電源は、漏電遮断器ＥＬＢ、操作電源スイッチＳＷ１、安全ブロックスイッチＳＷ２を介してこのプレス機械１０の操作電源回路３０に加えられる。
【００３５】
ここで、安全ブロックスイッチＳＷ２は、このスライド落下防止装置２０を作動させるためのもので、押下操作により操作電源回路３０への給電を遮断し、復帰操作により操作電源回路３０への給電を復旧させるように構成されている。
【００３６】
この安全ブロックスイッチＳＷ２は、常開接点である接点Ｐ１および常閉接点である接点ｐ１に連動している。
【００３７】
今、安全ブロックスイッチＳＷ２を押下操作すると、この安全ブロックスイッチＳＷ２によりこのプレス機械１０の操作電源回路３０が遮断されるとともに、接点Ｐ１がオン、接点Ｐ２がオフして、スライド落下防止装置２０の駆動部２４のソレノイドＡＳＶ１が駆動され、これによりアーム部２３が回動してダイブロック２２をプレス機械１０のスライド１３の下方のダイブロック位置に押し出す前進制御が行われる。
【００３８】
そして、この前進制御により、ダイブロック２２がダイブロック位置に達してリミットスイッチＬＳＷ１がオンになると、リレーＡ１がオンしてその常開接点Ａ１がオンになり、赤色の確認ランプ２４ａが点灯する。
【００３９】
また、安全ブロックスイッチＳＷ２の復帰操作を行うと、安全ブロックスイッチＳＷ２がオンになるとともに、接点Ｐ１がオフ、接点Ｐ２がオンして、スライド落下防止装置２０の駆動部２４のソレノイドＡＳＶ２が駆動され、これによりアーム部２３が逆に回動してダイブロック２２をその待機位置に復帰させる後進制御が行われる。
【００４０】
この後進制御により、ダイブロック２２が待機位置に戻りリ、ミットスイッチＬＳＷ２がオンになると、リレーＡ２がオンしてその常開接点Ａ２がオンになり、緑色の確認ランプ２４ｂが点灯する。
【００４１】
なお、スライド落下防止装置２０の安全ブロックスイッチＳＷ２が押下操作されると、ミットスイッチＬＳＷ２はオフになって、リレーＡ２はオフし、このプレス機械１０の非常停止回路４０に設けられたリレーＡ２の常開接点Ａ２はオフになってこのプレス機械１０は非常停止状態になるが、安全ブロックスイッチＳＷ２の解除操作によりリレーＡ２がオンすると、非常停止回路４０の常開接点Ａ２はオンになり、上記プレス機械１０は非常停止状態は解除される。
【００４２】
このような構成によると、安全ブロックスイッチＳＷ２の操作時に操作電源スイッチＳＷ１がオンに操作されたままになっていても、スライド落下防止装置２０のダイブロック２２が待機位置に復帰するまではプレス機械１０は非常停止状態になっているので、操作電源スイッチＳＷ１を切り忘れても不用意にスライド１３が作動してしまうことはない。
【００４３】
【発明の効果】
以上説明したようにこの発明によれば、非常に簡単かつコンパクトな構成により、金型交換等の作業や保守、点検作業時等におけるスライド落下事故を確実に防止することができ、また、各種プレス機械に取り付け可能であるという効果を奏する。
【図面の簡単な説明】
【図１】この発明に係わるスライド落下防止装置を取り付けたプレス機械の要部を示す一部切り欠き斜視図である。
【図２】図１に示したスライド落下防止装置の詳細を示す側面図である。
【図３】図１および図２に示したスライド落下防止装置の制御回路の一例を示す回路図である。
【符号の説明】
１０    プレス機械
１１    ボルスタ
１２    下金型
１３    スライド
１４    上金型
１５    ギブ
２０    スライド落下防止装置
２１    レール
２２    ダイブロック
２２ａ    直動スライドテーブル
２２ｂ    長溝
２３    アーム部
２３ａ    嵌合部
２３ｂ    回動軸
２４    駆動部２４
３０    操作電源回路
４０    非常停止回路
【図１】
2004291086.tif 000003
【図２】
2004291086.tif 000004
【図３】
2004291086.tif 000005